(57)【要約】【課題】一の異物避けネットが設置される軒樋よりも大きい寸法の軒樋に適用可能な異物避けネット及びネット付軒樋構造を提供する。【解決手段】断面視凸形状で一方向に長尺に形成され軒樋４の内部空間Ｓを覆う複数の網状部材２０，２０を備え、複数の網状部材２０，２０は、長手方向に延びる端部同士が互いに隣接し又は重なるように連結されていることを特徴とする異物避けネット５又はネット付軒樋構造１。【選択図】図１
2015068079.tif 000002
【特許請求の範囲】
【請求項１】
断面視凸形状で一方向に長尺に形成され軒樋の内部空間を覆う複数の網状部材を備え、
前記複数の網状部材は、長手方向に延びる端部同士が互いに重なるように連結されていることを特徴とする異物避けネット。
【請求項２】
前記端部には、前記網状部材に形成された網目内に挿入されてこの網目に係止させる係止部が形成され、
前記網目は、前記係止部を係止させる被係止部とされ、
前記係止部を前記被係止部に係止させて前記複数の網状部材を連結させていることを特徴とする請求項１に記載の異物避けネット。
【請求項３】
前記複数の網状部材は、連結部材を用いて連結されていることを特徴とする請求項１に記載の異物避けネット。
【請求項４】
前記複数の網状部材は、これらを連結させている連結部を軸として回動自在とされていることを特徴とする請求項１から３のいずれか一項に記載の異物避けネット。
【請求項５】
請求項１〜４のいずれか一項に記載の異物避けネットを備えていることを特徴とするネット付軒樋構造。
【発明の詳細な説明】
【技術分野】
【０００１】
本発明は、異物避けネット及びネット付軒樋構造に関する。
【背景技術】
【０００２】
建物の軒先の下方に設置される軒樋は、軒先からの雨水を受けるために上方に開口した形状に形成されている。したがって、落ち葉等の異物が軒樋の内部に入って堆積し軒樋における雨水の流動を阻害することがある。そこで、従来より、軒樋内に異物が入るのを抑制する異物避けネットを備えたネット付き軒樋が提案されている（例えば下記特許文献１）。
図９に示すように、特許文献１のネット付軒樋構造１００は、建物の鼻隠し板１０１に固定された軒樋吊具１０３と、軒樋１０４と、異物避けネット１０５とを備えている。
異物避けネット１０５は、略円筒状で軸線方向に長尺に形成された一の網目状の部材（すなわちネット）により構成されている。そして従来のネット付軒樋構造１００は、異物避けネット１０５が軒樋吊具１０３上に配置される構成となっている。
【先行技術文献】
【特許文献】
【０００３】
【特許文献１】特許第３６４４８２０号公報
【発明の概要】
【発明が解決しようとする課題】
【０００４】
ところで、従来の異物避けネット１０５は、一の軒樋１０４の寸法に合わせて形成されたものであったことから、この異物避けネットに合う軒樋１０４よりも大きな寸法の軒樋１０４に設置した場合、内部空間を十分に覆うことができず、異物の侵入を十分に防止することができなかった。すなわち、従来の異物避けネット１０５は、軒樋１０４のサイズに応じて多種類の大きさのものが個別に用意される必要があったため、異物避けネット１０５の製造コストが嵩み、サイズ毎の部品管理も必要であった。
そこで、本発明は、一の異物避けネットで内部空間を覆い得る軒樋よりも大きい寸法の軒樋に適用可能な異物避けネット及びネット付軒樋構造を提供する。
【課題を解決するための手段】
【０００５】
本発明の異物避けネットは、断面視凸形状で一方向に長尺に形成され軒樋の内部空間を覆う複数の網状部材を備え、前記複数の網状部材は、長手方向に延びる端部同士が互いに隣接し又は重なるように連結されていることを特徴とする。
この構成によれば、網状部材を複数連結させることで一つの網状部材で適用できる軒樋よりも大型の軒樋に適用することができる。
【０００６】
前記端部には、前記網状部材に形成された網目内に挿入されてこの網目に係止させる係止部が形成され、前記網目は、前記係止部を係止させる被係止部とされ、前記係止部を前記被係止部に係止させて前記複数の網状部材を連結させていてもよい。
この構成によれば、網状部材同士を容易に連結させることができる。
【０００７】
前記複数の網状部材は、連結部材を用いて連結されていてもよい。
この構成によれば、網状部材同士を容易に連結させることができる。
【０００８】
前記複数の網状部材は、これらを連結させている連結部を軸として回動自在とされていてもよい。
この構成によれば、一の異物避けネットを用いて多様な寸法の軒樋に適用することができる。
【０００９】
本発明のネット付軒樋構造は、上記いずれか一項に記載の異物避けネットを備えていることを特徴とする。
本発明によれば、上記作用及び機能を有するネット付軒樋構造を得ることができる。
【発明の効果】
【００１０】
本発明によれば、一つの網状部材が適用できる軒樋よりも大型の軒樋に適用することができるため、異物避けネット及びネット付軒樋構造を容易かつ安価に製造することができるという効果を奏する。
【図面の簡単な説明】
【００１１】
【図１】本発明の一実施形態に係るネット付軒樋構造を示す側断面図である。
【図２】本発明の一実施形態に係る異物避けネットを示す平面図である。
【図３】本発明の一実施形態に係る異物避けネットの一部を示した要部拡大図である。
【図４】本発明の一実施形態に係る異物避けネットの使用方法を示した断面図である。
【図５】本発明の一実施形態に係る異物避けネットの他の例を示した側面図である。
【図６】本発明の一実施形態に係る異物避けネットの変形例を示す平面図である。
【図７】本発明の一実施形態に係るネット付軒樋構造の他の例を示す側断面図である。
【図８】本発明の一実施形態に係るネット付軒樋構造の他の例を示す側断面図である。
【図９】従来のネット付軒樋構造を示す側断面図である。
【発明を実施するための形態】
【００１２】
以下、本発明に係る実施形態の軒樋継手について、図面を参照して詳細に説明する。
図１に示すように、本実施形態のネット付軒樋構造（以下、単に「軒樋構造」という）１は、建物の軒先２の下方に配置された軒樋４と、軒樋４を保持して軒先２に設置する軒樋吊具３と、軒樋４の内部空間Ｓを覆い軒樋４に枯葉やゴミなどの異物が入ることを防止して軒樋４内の雨水の流動を円滑にする異物避けネット５とを備えた構造である。
【００１３】
屋根６は、特に限定されるものではないが、上底部６ａ、傾斜壁６ｂ、下底部６ｃ、傾斜壁６ｂが交互に繰り返され、下底部６ｃを挟んで隣り合う傾斜壁６ｂ，６ｂ（一方は図示されていない）が略Ｖ字状になるように板部材が水平方向に折曲したいわゆる折半屋根となっている。
【００１４】
軒樋４は、雨水の流路を形成するよう軒先２の延在方向（紙面奥行き方向）に配される底板７と、底板７の短手方向の一端部７ａから立設され、折半屋根６の内側に配置される後方側板８と、底板７の同他端部７ｂ側から立設され、軒先２の外側に配置される前方側板９とを備えている。
前方側板９と後方側板８とには、それぞれ軒樋吊具３に掛止させる耳部１０が形成されている。
【００１５】
軒樋吊具３は、外周面に雄ネジ部１５ａが形成された金属製で棒状体の吊下ボルト１５と、ナット１６と、緊締具１７と、軒樋４の保持部材１８とを備えている。
吊下ボルト１５は、その上端部１５Ｈがナット１６で折半屋根６の上底部６ａに固定され、中央部１５Ｍが緊締具１７で下底部６ｃに固定され、下端部１５Ｌに軒樋４の保持部材１８がナット１６で固定されている。
保持部材１８は、短冊状の板部材を折曲して形成されたものである。保持部材１８は、中間部１８ａが軒樋４の内部空間Ｓ内に水平方向に配置され、中間部１８ａの両端１８ｂ，１８ｃで上方に向かって折曲し、各耳部１０に巻き付くように折れ曲がっている。
【００１６】
異物避けネット５は、軒樋４の内部空間Ｓを覆い、軒樋４の流路に落ち葉等のごみが溜まって雨水の流動を阻害することを防止する複数（本実施形態では２つの）網状部材２０，２０を備えている。
【００１７】
図２に示すように、網状部材２０は、軒樋４の長手方向（矢印Ｄ１方向）に長尺に形成され、合成樹脂製で長手方向Ｄ１に互いに平行に延びる複数の横棒部２０ａ，２０ａ・・とこれに交叉して互いに平行に延びる複数の縦棒部２０ｂ，２０ｂ・・とにより格子状に形成され、厚さ方向に貫通した網目２１，２１・・を形成している。
網目２１は、雨水を通過させつつも落ち葉等のごみを通さない大きさでそれぞれ同寸法の矩形に形成されている。
【００１８】
網状部材２０は、図１に示すように長手方向（紙面奥行き方向）に断面視して一方向に突出する凸形状となるように、具体的には本実施形態では円弧状、より具体的には略半円状に形成されている。
図２，図３に示すように、網状部材２０の短手方向Ｄ２の一の端部２３の横棒部２０ａは、縦棒部２０ｂ，２０ｂ間の中央で切断されて形成された係止部２５となっている。
【００１９】
係止部２５は、略Ｔ字状に形成されており、連結させる他の網状部材２０の端部２４の網目２１に挿入される際には縁切りされた横棒部（Ｔ字の横棒に当たる部分）２０ａが弾性変形し、挿入後に弾性復帰して他の網状部材２０の網目２１を形成している横棒部２０ａ及び縦棒部２０ｂに係止するようになっている。すなわち、網目２１は、被係止部を構成している。
このようにして２つの網状部材２０，２０は、端部２３，２４を連結部としてこれらの端部２３，２４同士が互いに重なるように連結され、異物避けネット５を形成している。
【００２０】
異物避けネット５は、係止部２５を形成している縦棒部２０ｂが網目２１内で僅かに動けるようになっており、網状部材２０が互いに連結された端部２３，２４の横棒部２０ａ中心軸として図１に示す矢印Ｒ方向に回動自在となっている。したがって、図１に示す軒樋４の底板７の幅寸法が大きい場合には網状部材２０を拡開させ、底板７の幅寸法が小さい場合には網状部材２０を閉じて、すなわち軒樋４の内部空間Ｓの大きさに合わせて設置されるようになっている。
【００２１】
そして、本実施形態では、異物避けネット５は軒樋吊具３の保持部材１８の下方に設置され、軒樋４から外れないようになっている。
なお、網状部材２０が図１に示すよりも大径の円弧形状で形成されている場合には、異物避けネット５が吊下ボルト１５及び保持部材１８と干渉する部分を切り欠くとともに、この切欠（不図示）につながるスリット（不図示）を形成して、軒樋吊具３に軒樋４が設置された後に異物避けネット５を装着できるようにすることができる。
【００２２】
以上のとおり、図１に示す異物避けネット５又は異物避けネット５を備えた軒樋構造１によれば、網状部材２０が矢印Ｒ方向に回動（拡開）自在に構成されているため、一の異物避けネット５で多様な大きさの軒樋４に適用することができる。したがって、軒樋４の寸法に合わせた異物避けネット５を個別に製造することを防止して異物避けネット５のサイズが多様になることを抑制し、部品管理を容易にするとともに製造コストを抑制することができるという効果が得られる。
【００２３】
また、網状部材２０，２０同士の連結，非連結を極めて簡便に行うことができるという効果が得られる。
【００２４】
また、異物避けネット５の場合、図４に示すように、実線又は仮想線で示す一方の網状部材２０の係止部２５を、連結させる他の網状部材２０の周方向のいずれかの位置に係止させることができる。したがって、異物避けネット５の寸法を設置先の軒樋４（図１参照）の寸法に合わせて微調整することもでき、寸法調整の自由度が上がるという効果が得られる。また、軒樋４の幅寸法が小さく異物避けネット５の網状部材２０，２０を小さく拡開させた状態で設置状態を維持し難い（すなわち拡開度が小さいため閉じてしまうような）場合にも、軒樋４の寸法に好適に対応することができるという効果が得られる。
【００２５】
なお、異物避けネット５は、２つの網状部材２０，２０を連結されたものに限定されるものではなく、例えば図５に示すように３つ以上連結させたものであってもよい。
このような異物避けネット５の場合、全体として略三角形となるように形成されるため、異物避けネット５に落ち葉等が落ちた際に落ち葉を網状部材２０の周面に沿って軒樋４の外に落とし易くなる。したがって、異物避けネット５上に落ち葉やごみが堆積することを防止して掃除等の作業の手間を軽減することができるという効果が得られる。また、より大型の軒樋４に適用できるという効果が得られる。
【００２６】
また、網状部材２０の形状は、円弧状に限定されるものではなく、軒樋４の内部空間Ｓを可及的に広く形成し得る凸形状に形成されたものであれば、多角形状に形成されたものであってもよい。
【００２７】
上記の実施形態において、異物避けネット５は、網状部材２０同士が図６に示すようにヒンジ等の連結部材３０により連結されて、端部２３，２４が互いに隣接するように連結されたものであってもよい。又は、異物避けネット５は、ジョイントや針金等で隣り合う網状部材２０の端部２３，２４の網目２１，２１同士を連結させたものであっても上記実施形態と同様の効果が得られる。
【００２８】
また、軒樋構造１は、図７に示すように、異物避けネット５を軒樋吊具３の保持部材１８の上に位置するように設置する構成であってもよい。異物避けネット５をこのように設置することにより、落ち葉等が進入しない軒樋４の内部空間Ｓを可及的に大きく形成することができるという効果が得られる。
この場合、異物避けネット５は、吊下ボルト１５及び保持部材１８と干渉する位置を切り欠くとともに、この切欠（不図示）が短手方向の端部の外に貫通するスリット（不図示）を形成して、軒樋吊具３に軒樋４が設置された後に異物避けネット５が装着できるようにすることができる。
【００２９】
また、異物避けネット５及び軒樋構造１は、折半屋根６への適用に限定されるものではなく、不図示の平板の屋根にも同様にして適用することができる。
または、異物避けネット５及び軒樋構造１は、図８に示すように、建物の鼻隠し板３５に固定して鼻隠し板３５から突出させる軒樋吊具３６と、これに保持される軒樋４にも適用することができ、この場合にも上記した異物避けネット５及び軒樋構造１と同様の作用，機能及び効果を得ることができる。
【００３０】
なお、図８に示す異物避けネット５は、図１に示す異物避けネット５の設置位置と同様に軒樋吊具３の下方に設置し軒樋４と軒樋吊具３とにより保持するものであってもよい。また、図８に示す異物避けネット５は、図６に示す方法その他の連結部材により連結されたものであってもよい。
【符号の説明】
【００３１】
１  ネット付軒樋構造
３  軒樋吊具
４  軒樋
５  異物避けネット
２０  網状部材
２１  網目（被係止部）
２３  端部（連結部）
２４  端部（連結部）
２５  係止部
３０  連結部材
【図１】
2015068079.tif 000003
【図２】
2015068079.tif 000004
【図３】
2015068079.tif 000005
【図４】
2015068079.tif 000006
【図５】
2015068079.tif 000007
【図６】
2015068079.tif 000008
【図７】
2015068079.tif 000009
【図８】
2015068079.tif 000010
【図９】
2015068079.tif 000011